(57)【要約】【課題】清掃ヘッドによる清掃幅を最大幅と最少幅とに切り換え可能として、清掃作業を効率良く行うことができると共に、狭い幅の清掃箇所も清掃作業を行うことができる清掃具を提供する。【解決手段】、清掃部材１４が装着される一対の清掃ヘッド１１と、これらの一対の清掃ヘッド１１の基端部１１ａを回転可能に支持するピボット部１２と、ピボット部１２に連結される柄部１３とからなり、ピボット部１２は、一対の清掃ヘッド１１を、上下に重ね合わせた閉状態と、左右に略１８０度に開かせた開状態とに切替え可能な構造で、清掃ヘッド１１の基端接合部１１ａを支持している。ピボット部１２は、軸受枠部１５と、軸受枠部１５に回転可能に支持されると共に、外周面に噛合凹凸部１６ａを備える一対の回転軸部１６とを含んで構成されており、一対の回転軸部１６に一対の清掃ヘッド１１の基端部１１ａの各々が連接されている。【選択図】図２
2015051090.tif 000002
【特許請求の範囲】
【請求項１】
清掃部材が装着される一対の清掃ヘッドと、該一対の清掃ヘッドの基端部を回転可能に支持するピボット部と、該ピボット部に連結される柄部とを具備する清掃具であって、
前記ピボット部は、前記一対の清掃ヘッドを、上下に重ね合わせた閉状態と、左右に開かせた開状態とに切替え可能な構造で、前記基端部を支持している清掃具。
【請求項２】
前記ピボット部は、軸受枠部と、該軸受枠部に回転可能に支持されると共に、外周面に噛合凹凸部を備える一対の回転軸部とを含んで構成されており、該一対の回転軸部に前記一対の清掃ヘッドの基端部の各々が連接されていると共に、一方の前記清掃ヘッドの基端部と、他方の前記清掃ヘッドの基端部との上下の位置をずらせた状態で、前記一対の回転軸部が、前記噛合凹凸部を互いに噛合させて前記軸受枠部に取り付けられており、これによって、前記一対の清掃ヘッドは、前記閉状態において互いに干渉しないようになっていると共に、同期して開閉するようになっている請求項１記載の清掃具。
【請求項３】
前記ピボット部には、前記一対の清掃ヘッドを、上下に重ね合わせた閉状態と左右に開かせた開状態との間の、所定の開き角度で固定するためのストッパー手段が設けられている請求項１又は２記載の清掃具。
【請求項４】
前記一対の清掃ヘッドは、互いにすれ違わせるように回動させて、逆の方向に開かせることで、各々の一方の側辺部を前方に向けて配置した状態から、各々の他方の側辺部を前方に向けて配置した状態に、切り換えることが可能になっている請求項１〜３のいずれか１項記載の清掃具。
【請求項５】
前記基端部は、前記清掃ヘッドの板状本体部の端部の一方の側部から延設するプレート状の部分であって、前記一方の側部から側方に張り出した後に、前記板状本体部の幅方向中心側に折り返すことで、略円弧平面形状の前記回転軸部との連接台座部を形成しており、前記板状本体部の後端縁部と、前記接合台座部との間には、前記板状本体部の前記基端部が張り出す側辺部とは反対側の側辺部から、円弧形状に切り込まれた間隔溝が保持されており、該間隔溝に他方の前記清掃ヘッドが連接する前記回転軸部の一部を挿通させることで、前記基端部と前記回転軸部との干渉を避けるようになっている請求項４項記載の清掃具。
【発明の詳細な説明】
【技術分野】
【０００１】
本発明は、清掃具に関し、特に清掃部材が装着される一対の清掃ヘッドと、ピボット部と、柄部とからなる清掃具に関する。
【背景技術】
【０００２】
例えば不織布等からなる使い捨て用の清掃シートや、清掃布、モップ等の清掃部材を、例えば合成樹脂製の清掃ヘッドに着脱交換可能に取り付けて用いるハンディモップ等の清掃具が知られている（例えば、特許文献１、特許文献２参照）。これらの清掃具によれば、清掃シートやモップ等を廃棄したり、洗い直して繰り返し用いながら、例えば家庭内において簡便且つ手軽に清掃を行うことが可能になる。
【０００３】
また、清掃具による清掃範囲が広い場合と狭い場合のいずれにも対応できるように、清掃ヘッドによる清掃幅を、一対の清掃ヘッドを１８０度左右に広げた最大幅と、一対の清掃ヘッドを閉じた最少幅とに切り換えて、清掃作業を効率良く行えるようにした清掃具も開発されている（例えば、特許文献３参照）。
【先行技術文献】
【特許文献】
【０００４】
【特許文献１】特開２００３−２６５３９０号公報
【特許文献２】特開２０１０−２６８９７５号公報
【特許文献３】特開平１１−４７０５９号公報
【発明の概要】
【発明が解決しようとする課題】
【０００５】
しかしながら、特許文献３に記載の清掃具によれば、一対の清掃ヘッドを閉じた最少幅の状態では、各々の清掃ヘッドの内側の当接部を互いに当接させていることで、最少幅は、一対の清掃ヘッドの幅を合計した幅となっていて、それ程狭い幅とはなっていない。このため、狭い幅の清掃箇所については、清掃作業を効果的に行うことは困難である。
【０００６】
また、特許文献３に記載の清掃具では、例えばブラインドを挟み込んで、これの表裏を同時に清掃するといった清掃作業を行うことは困難である。
【０００７】
本発明は、清掃ヘッドによる清掃幅を最大幅と最少幅とに切り換え可能として、清掃作業を効率良く行うことができると共に、狭い幅の清掃箇所についても効果的に清掃作業を行うことができ、さらに例えばブラインドを挟み込んで、これの表裏を同時に清掃するといった清掃作業を容易に行うことのできる清掃具を提供することを目的とする。
【課題を解決するための手段】
【０００８】
本発明は、清掃部材が装着される一対の清掃ヘッドと、該一対の清掃ヘッドの基端部を回転可能に支持するピボット部と、該ピボット部に連結される柄部とからなる清掃具であって、前記ピボット部は、前記一対の清掃ヘッドを、上下に重ね合わせた閉状態と、左右に開かせた開状態とに切替え可能な構造で、前記基端部を支持している清掃具を提供することにより、上記目的を達成したものである。
【発明の効果】
【０００９】
本発明の清掃具によれば、清掃ヘッドによる清掃幅を最大幅と最少幅とに切り換え可能として、清掃作業を効率良く行うことができると共に、狭い幅の清掃箇所についても効果的に清掃作業を行うことができ、さらに例えばブラインドを挟み込んで、これの表裏を同時に清掃するといった清掃作業を容易に行うことができる。
【図面の簡単な説明】
【００１０】
【図１】本発明の好ましい一実施形態に係る清掃具を説明する、（ａ）は柄部を収縮した状態の斜視図、（ｂ）は柄部を伸長した状態の斜視図である。
【図２】本発明の好ましい一実施形態に係る清掃具を、清掃部材及び柄部を省略して示す、（ａ）は閉状態の斜視図、（ｂ）は開状態の斜視図である。
【図３】本発明の好ましい一実施形態に係る清掃具を、清掃部材及び柄部を省略して示す、（ａ）は閉状態の側面図、（ｂ）は開状態の側面図である。
【図４】回転軸部に連接した清掃ヘッドの（ａ）は斜視図、（ｂ）は側面図である。
【図５】回転軸部に連接した清掃ヘッドの（ａ）は上面図、（ｂ）は底面図である。
【図６】回転軸部を除いて示す、ピボット部の（ａ）は斜視図、（ｂ）は側面図である。
【図７】清掃部材を例示する（ａ）は斜視図、（ｂ）は分解斜視図である。
【発明を実施するための形態】
【００１１】
図１に示す本発明の好ましい一実施形態に係る清掃具１０は、一対の清掃ヘッド１１と、ピボット部１２と、伸縮可能な柄部１３とを含んで構成され、清掃ヘッド１１に清掃部材１４として例えば繊維層を備えるモップ状の清掃用物品を、直脱交換可能に装着して用いられる。本実施形態の清掃具１０は、例えば柄部１３を伸長状態（図１（ｂ）参照）にすると共に、一対の清掃ヘッド１１を開いた状態として、床面等の広い面積の清掃面を清掃するのに適した使用形態（図２（ｂ）参照）と、例えば柄部１３を収縮状態（図１（ａ）参照）にすると共に、一対の清掃ヘッド１１を閉じた状態として、幅の狭い清掃箇所を清掃するのに適した使用形態（図２（ａ）参照）とに切り換えながら、効率良く清掃作業を行えるようにする機能を備えている。
【００１２】
そして、本実施形態の清掃具１０は、図１（ａ）、（ｂ）及び図２（ａ）、（ｂ）に示すように、清掃部材１４が装着される一対の清掃ヘッド１１と、これらの一対の清掃ヘッド１１の基端部１１ａを回転可能に支持するピボット部１２と、ピボット部１２に連結される柄部１３（図１（ａ）、（ｂ）参照）とからなる。ピボット部１２は、一対の清掃ヘッド１１を、上下に重ね合わせた閉状態(図２（ａ）参照)と、左右に好ましくは略１８０度に開かせた開状態（図２（ｂ）参照）とに切替え可能な構造で、清掃ヘッド１１の基端部１１ａを支持している。
【００１３】
また、本実施形態では、ピボット部１２は、図３（ａ）、（ｂ）、図４（ａ）、（ｂ）、及び図６（ａ）、（ｂ）にも示すように、軸受枠部１５と、軸受枠部１５に回転可能に支持されると共に、外周面に噛合凹凸部１６ａを備える一対の回転軸部１６とを含んで構成されている。ピボット部１２には、一対の回転軸部１６に一対の清掃ヘッド１１の基端部１１ａの各々が連接されている共に、一方の清掃ヘッド１１の基端部１１ａと、他方の清掃ヘッド１１の基端部１１ａとの上下の位置をずらせた状態で（図３（ａ）、（ｂ）参照）、一対の回転軸部１６が、噛合凹凸部１６ａを互いに噛合させて軸受枠部１５に取り付けられている。これによって、一対の清掃ヘッド１１は、閉状態において互いに干渉しないようになっていると共に、同期して開閉するようになっている。本実施形態において、上下方向は回転軸部１６の軸方向であり、上方向と下方向は入れ替え可能である。また左右方向は上下方向と直交する方向であり、回転軸部１６の軸方向に直交する方向でもある。
【００１４】
本実施形態では、清掃具１０を構成する清掃ヘッド１１は、例えばポリプロピレン、ポリエチレン等の合成樹脂による成形品であって、全体として例えば１００〜２００ｍｍ程度の長さを有するように形成されると共に、好ましくは適度に押圧した場合に撓み変形が可能な板形状に成形される。図４（ａ）、（ｂ）及び図５（ａ）、（ｂ）にも示すように、清掃ヘッド１１は、清掃部材１４が着脱可能に装着される板状本体部１１ｂと、回転軸部１６に連接される側の端部の基端部１１ａとを具備して形成されている。
【００１５】
板状本体部１１ｂは、基端部１１ａから清掃ヘッド１１の先端側に向けて帯板形状に延設する部分であって、底面が略平坦な面となっていると共に、帯状に縁取りされた薄厚の周縁部分よりも、中央部分の肉厚が大きくなった横断面形状を有している。また、板状本体部１１ｂは、基端部１１ａ側の略半分の領域の、例えば２９ｍｍ程度の幅を有する広幅平面形状部分１１ｃと、先端側の残りの略半分の領域の、例えば２１ｍｍ程度の幅を有する細幅平面形状部分１１ｄとが、略４半円形状の段差部１１ｅを介して連続した平面形状を有している。また、板状本体部１１ｂの略平坦な底面には、図５（ｂ）に示すように、細幅平面形状部分１１ｄの先端側略半分の領域に、高さの低い複数の点状リブ１１ｇが設けられている。細幅平面形状部分１１ｄの底面に、複数の点状リブ１１ｇが設けられていることにより、清掃ヘッド１１に後述する清掃部材１４が装着された際に、清掃部材１４の装着用シート１４ｅ、１４ｆが点状リブ１１ｇに引っ掛かることで、使用中に清掃部材１４がずれたり、外れたりすることを効果的に防ぐことが可能になる。
【００１６】
また、本実施形態では、板状本体部１１ｂの基端部１１ａ側の端部には、図４（ａ）、（ｂ）に示すように、中央部分の肉厚部よりもさらに盛り上がった状態で、円弧状のマウンド形状の係着基台部１１ｈが形成されている。この係着基台部１１ｈには、清掃部材１４の装着用シート１４ｅ、１４ｆに形成された係着切込み１４ｈ（図７（ｂ）参照）が係着される係着突起１１ｉが設けられている。そして、本実施形態では、係着基台部１１ｈの側部から側方及び上方に延設して、基端部１１ａが設けられている。
【００１７】
基端部１１ａは、本実施形態では、板状本体部１１ｂの端部の係着基台部１１ｈの一方の側部から延設するプレート状の部分であって、係着基台部１１ｈの一方の側部から側方に張り出した後に、板状本体部１１ｂの軸方向後方側において、板状本体部１１ｂの幅方向中心側に折り返すことで、略円弧平面形状の連接台座部１１ｊを形成している。またこれによって、基端部１１ａの連接台座部１１ｊと、板状本体部１１ｂの係着基台部１１ｈによる後端縁部との間には、係着基台部１１ｈの基端部１１ａが張り出す側辺部とは反対側の側辺部から、円弧形状に切り込まれた間隔溝１１ｋが保持されることになる。基端部１１ａの連接台座部１１ｊの、後方に向けて凹となった部分には、ピボット部１２を構成する回転軸部１６が一体成形されて連接されている。
【００１８】
清掃ヘッド１１の基端部１１ａの連接台座部１１ｊに連接される回転軸部１６は、軸受枠部１５等と共にピボット部１２を構成する部材である。回転軸部１６は、図４（ａ）、（ｂ）に示すように、略２４０度の角度範囲に亘って外周面に噛合凹凸部１６ａが形成された略円柱形状の軸本体部１６ｂと、軸本体部１６ｂの中心貫通孔と連続して軸本体部１６ｂの天面部から上方に突出して設けられた軸受スリーブ部１６ｃとからなる。清掃ヘッド１１は、板状本体部１１ｂの係着基台部１１ｈを上方に配置して、板状本体部１１ｂの平坦な底面を回転軸部１６の底面に沿わせた状態で、軸本体部１６ｂの底面から軸本体部１６ｂの高さの１/２を超えない高さ領域において、連接台座部１１ｊを軸本体部１６ｂの外周面に連接することで、回転軸部１６に一体として設けられる。
【００１９】
本実施形態では、図２（ａ）、（ｂ）に示すように、上述のようにして回転軸部１６に一体として設けられた同じ大きさ及び形状の清掃ヘッド１１が、一対、上下逆さまにして、平坦な底面を各々外側に向けた状態で、ピボット部１２の軸受枠部１５に、上下を貫通する連結ピン１７を介して、回動可能に取り付けられている。
【００２０】
軸受枠部１５は、本実施形態では、図６（ａ）、（ｂ）に示すように、略矩形（正方形を含む）の正面形状を有する背面基板部１５ａと、背面基板部１５ａの上下の辺縁部から各々垂直前方に張り出した状態で、平行に延設して設けられた上下一対の張出し支持板部１５ｂとからなる、コの字断面形状を有している。各々の張出し支持板部１５ｂには、回転軸部１６の直径よりも、噛合凹凸部１６ａの噛み合わせ分だけ短い長さの間隔をおいて、一対のピン係止孔１８が、上下方向に対向する位置に設けられている。
【００２１】
軸受枠部１５の背面基板部１５ａには、これの後方に突出して、公知の連結ジョイント部１９が設けられている。この連結ジョイント部１９を介して、伸縮可能な公知の柄部１３が、上下方向に回転可能に連結されている（図１（ａ）、（ｂ）参照）。
【００２２】
そして、本実施形態では、ピボット部１２は、一対の清掃ヘッド１１を、上下に重ね合わせた閉状態(図２（ａ）参照)と、左右に略１８０度に開かせた開状態（図２（ｂ）参照）とに切替え可能な構造で、清掃ヘッド１１の基端部１１ａを支持している。
【００２３】
すなわち、本実施形態では、ピボット部１２のコの字断面形状を有する軸受枠部１５に対して、清掃ヘッド１１を各々一体として連接した一対の回転軸部１６を、清掃ヘッド１１を上下逆さまに配置すると共に、一対の回転軸部１６の噛合凹凸部１６ａを互いに噛合させた状態で、各々の回転軸部１６の中心貫通孔及び軸受スリーブ部１６ｃを、張出し支持板部１５ｂの一対の上下のピン係止孔１８に合致させる。また、これらの合致させた中心貫通孔及び軸受スリーブ部１６ｃと、上下のピン係止孔１８に連結ピン１７を連続挿入して、両端部をピン係止孔１８に各々係止する。これによって、図２（ａ）、（ｂ）及び図３（ａ）、（ｂ）に示すように、上下逆さまに配置された一対の清掃ヘッド１１の間で、基端部１１ａの上下の位置をずらせた状態で、一対の回転軸部１６が軸受枠部１５に取り付けられることになるので、一対の清掃ヘッド１１を、上下に重ね合わせた閉状態において互いに干渉しないようにすることが可能になる。これによってピボット部１２は、一対の清掃ヘッド１１を、上下に重ね合わせた閉状態(図２（ａ）参照)と、左右に略１８０度に開かせた開状態（図２（ｂ）参照）とに切替え可能な構造で、清掃ヘッド１１の基端部１１ａを支持することが可能になる。
【００２４】
また、本実施形態では、清掃ヘッド１１を各々一体として連接した一対の回転軸部１６は、噛合凹凸部１６ａを互いに噛合させて軸受枠部１５に取り付けられているので、例えば一方の清掃ヘッド１１を回動操作するのに伴って、これに同期させて他方の清掃ヘッド１１を、一方の清掃ヘッド１１とは反対側に自動的に回動させることが可能になる。
【００２５】
さらに、本実施形態では、清掃ヘッド１１の板状本体部１１ｂの後端縁部と、基端部１１ａの連接台座部１１ｊとの間には、係着基台部１１ｈの基端部１１ａが張り出す側辺部とは反対側の側辺部から、円弧形状に切り込まれた間隔溝１１ｋが保持されている。この間隔溝１１ｋに、他方の清掃ヘッド１１が連接された回転軸部１６の一部である軸受スリーブ部１６ｃを挿通させることで、一対の清掃ヘッド１１を、上下に重ね合わせた閉状態(図２（ａ）参照)から、基端部１１ａが他方の回転軸部１６の軸受スリーブ部１６ｃから離れる側のみならず、基端部１１ａが他方の回転軸部１６の軸受スリーブ部１６ｃに近づく側に、一対の清掃ヘッド１１を回動させて、左右に略１８０度に開かせた開状態（図２（ｂ）参照）とすることが可能になる。すなわち、基端部１１ａと軸受スリーブ部１６ｃとの干渉を、間隔溝１１ｋによって避けるようにしながら、一対の清掃ヘッド１１を互いにすれ違わせるように回動させて、逆の方向に開かせることが可能になる。またこれによって、一対の清掃ヘッド１１を略１８０度に開かせて、各々の一方の側辺部を前方に向けた配置した状態から、一対の清掃ヘッド１１を各々反対側に１８０度回転させることで再び略１８０度に開かせて、各々の他方の側辺部を前方に向けた配置した状態に、切り換えることが可能になる。
【００２６】
本実施形態では、一対の清掃ヘッド１１に各々着脱交換可能に装着される清掃部材１４として、例えば図７（ａ）、（ｂ）に示すような、繊維層を備えるモップ状の清掃用物品を好ましく用いることができる。本実施形態では、繊維層を備えるモップ状の清掃用物品１４は、４層の繊維層１４ａ，１４ｂ，１４ｃ，１４ｄを備えており、ゴミ、埃等の捕捉性が高いものである。清掃用物品１４は、繊維束からなる４層の繊維層１４ａ〜１４ｄと不織布からなる一対の装着用シート１４ｅ、１４ｆとが積層されて形成されている。清掃用物品１４は、装着用シート１４ｅ，１４ｆの上下それぞれに２つの繊維層を有しており、繊維層１４ａ〜１４ｄにおける繊維束が毛羽立てられていて、清掃用物品１４の全体の形状が概ね円柱形状となっている。なお、繊維層は片側２層の４層構造でなく、片側１層の２層構造でもよい。
【００２７】
清掃用物品１４における一対の装着用シート１４ｅ、１４ｆのそれぞれは、縦長矩形の平面形状を有しており、その長手方向に延びる２列の接合領域１４ｇで接合することで、清掃ヘッド１１の板状本体部１１ｂを挿入させる挿入袋部が形成される。装着用シート１４ｅ、１４ｆの長手方向両端部の短辺部分には、係着切込み１４ｈが形成されている。清掃用物品１４の装着用シート１４ｅ、１４ｆによる挿入袋部に、清掃ヘッド１１の板状本体部１１ｂを、基端接合部１１ａの近傍部分まで挿入し、係着切込み１４ｈに、係着基台部１１ｈの係着突起１１ｉを係着することによって、一対の清掃ヘッド１１の各々に、清掃用物品１４を、着脱交換可能に容易に装着することができる。
【００２８】
本実施形態の清掃具１０では、図１（ａ）、（ｂ）に示すように、一対の清掃ヘッド１１に清掃部材１４を各々装着した状態で、柄部１３を伸ばしたり縮めたりしながら、床面やその他の清掃箇所の清掃作業を行う。
【００２９】
そして、上述の構成を備える本実施形態の清掃具１０によれば、清掃ヘッド１１による清掃幅を最大幅と最少幅とに切り換え可能として、清掃作業を効率良く行うことができると共に、狭い幅の清掃箇所についても効果的に清掃作業を行うことができ、さらに例えばブラインドを挟み込んで、これの表裏を同時に清掃するといった清掃作業を容易に行うことができる。
【００３０】
すなわち、本実施形態によれば、清掃具１０は、清掃部材１４が装着される一対の清掃ヘッド１１と、これらの一対の清掃ヘッド１１の基端部１１ａを回転可能に支持するピボット部１２と、ピボット部１２に連結される柄部１３とからなり、ピボット部１２は、一対の清掃ヘッド１１を、上下に重ね合わせた閉状態と、左右に略１８０度に開かせた開状態とに切替え可能な構造で、清掃ヘッド１１の基端部１１ａを支持しているので、一対の清掃ヘッド１１を上下に重ね合わせた清掃幅が最少幅となった状態と、左右に略１８０度に開かせた清掃幅が最大幅となった状態とに容易に切り換えることが可能になって、清掃作業を効率良く行うことが可能になる。
【００３１】
また、本実施形態によれば、一対の清掃ヘッド１１を上下に重ね合わせて清掃幅を最少幅とした状態では、清掃幅は、実質的に一本の清掃ヘッド１１のみの幅に相当する、狭い幅となるので、狭い幅の清掃箇所についても、効果的に清掃作業を行うことが可能になる。一対の清掃ヘッド１１を上下に重ね合わせて清掃幅を最少幅とした状態では、従来のハンディモップ等を同様に、例えばはたきのような、種々の使い方で使用することも可能になる。
【００３２】
さらに、本実施形態によれば、清掃部材１４が装着された一対の清掃ヘッド１１を、上下に重ね合わせた閉状態で清掃作業を行うことができるので、例えば一枚一枚のブラインドのような薄く細長い形状の被清掃物を、例えば上下の清掃ヘッド１１の間に挟み込んだ状態で、左右にスライド移動させることにより、これの表裏を同時に清掃することが可能になる。電気コードのような細長いものに対しても、例えば上下の清掃ヘッド１１の間に挟み込んだ状態で、左右にスライド移動させることにより、効率良く清掃することが可能になる。
【００３３】
さらにまた、本実施形態によれば、清掃ヘッド１１の板状本体部１１ｂの後端縁部と、基端部１１ａの連接台座部１１ｊとの間には、間隔溝１１ｋが保持されている。またこの間隔溝１１ｋに、他方の清掃ヘッド１１と一体となった回転軸部１６の軸受スリーブ部１６ｃを挿通させることで、基端接合部１１ａと軸受スリーブ部１６ｃとの干渉を避けるようにしながら、一対の清掃ヘッド１１を回動させて、略１８０度に開かせた開状態とすることができるようになっている。これによって、一対の清掃ヘッド１１を左右に略１８０度に開かせて、各々の一方の側辺部を前方に向けた配置した状態から、一対の清掃ヘッド１１を各々反対側に１８０度回転させることで再び左右に略１８０度に開かせて、各々の他方の側辺部を前方に向けた配置した状態に、容易に切り換えることができるので、例えば清掃ヘッド１１に装着された清掃部材１４の一方及び他方の側面部分を交互に清掃方向に対向させて、清掃部材１４の全体を効率良く利用しながら、清掃作業を行うことが可能になる。
【００３４】
また、本実施形態では、ピボット部１２には、一対の清掃ヘッド１１を、上下に重ね合わせた閉状態と左右に略１８０度に開かせた開状態との間の、所定の開き角度で固定するためのストッパー手段２０を設けることもできる。ストッパー手段２０としては、例えば図５（ｂ）及び図６（ａ）に示すように、一方の清掃ヘッド１１に接合された回転軸部１６における、軸受枠部１５の上側の張出し支持板部１５ｂの下側面と接触する底面の、中央貫通孔１６ｄの周囲に、中央貫通孔１６ｄから所定間隔離間させた状態で、周方向に間隔をおいて複数のストッパーピン係止孔１６ｅを設けておく。一方、軸受枠部１５の上側の張出し支持板部１５ｂには、一方のピン係止孔１８から所定間隔離間させて、ストッパーピン挿入孔１５ｃが形成されている。そして、回転軸部１６を軸受枠部１５に対して回動させて、複数のストッパーピン係止孔１６ｅから選択された１箇所のストッパーピン係止孔１６ｅを、ストッパーピン挿入孔１５ｃと合致させて、ストッパーピン２１を挿入係止することによって、一対の清掃ヘッド１１を、上下に重ね合わせた閉状態と左右に略１８０度に開かせた開状態との間の、所定の開き角度で段階的に固定することが可能になる。
【００３５】
なお、一対の清掃ヘッド１１を、所定の開き角度で固定するためのストッパー手段２０は、ピボット部１２に公知のラチェツト機構等を設けることによって構成することもできる。
【００３６】
ピボット部１２に、一対の清掃ヘッド１１を所定の開き角度で固定するためのストッパー手段２０が設けられていることにより、一対の清掃ヘッド１１による清掃幅を、上下に重ね合わせた清掃幅が最少幅となった状態と、左右に略１８０度に開かせた清掃幅が最大幅となった状態との間で、段階的に選択して清掃を行うことが可能になって、清掃箇所の状況に応じてさらに効率良く清掃作業を行うことが可能になる。
【００３７】
なお、本発明は上記実施形態に限定されることなく種々の変更が可能である。例えば、一対の清掃ヘッドは、板状本体部を備える帯板形状を有するものである必要は必ずしもなく、清掃部材を装着することが可能な、ロッド形状等を有するものであっても良い。その場合、ロッド自体を円弧形状に湾曲させて間隔溝１１ｋを形成することが好ましい。また、一対の清掃ヘッドは、直線状に形成されたものである必要は必ずしもなく、円弧形状や波形状等の平面形状を有していたり、上下方向に湾曲したり、反っているもであっても良い。また、一対の清掃ヘッドは、ピボット部の回転軸部と一体成形して連接されている必要は必ずしもなく、例えば、清掃ヘッドとピボット部とは別パーツとし、回転軸部１６の下面に清掃ヘッド１１の基端部１１ｂを接着して連接したり、また、回転軸部１６に凹部を形成して基端部１１ｂを嵌め込み、回転軸部１６に対して、着脱交換可能に取り付けて用いるものであっても良い。さらに、ピボット部は、軸受枠部と、該軸受枠部に回転可能に支持されると共に、外周面に噛合凹凸部を備える一対の回転軸部とを含んで構成されるものである必要は必ずしもない。さらにまた、一対の清掃ヘッド１１の開き幅を最大とする左右の開き角度は、略１８０度である必要は必ずしもなく、例えば回転軸部に形成される噛合凹凸部の角度範囲を調整することで、好ましくは１５０〜２１０度の開き角度となるように適宜設定することができる。
【符号の説明】
【００３８】
１０  清掃具
１１  清掃ヘッド
１１ａ  基端部
１１ｂ  板状本体部
１１ｈ  係着基台部
１１ｉ  係着突起
１１ｊ  連接台座部
１１ｋ  間隔溝
１２  ピボット部
１３  柄部
１４  清掃部材（繊維層を備えるモップ状の清掃用物品）
１４ａ，１４ｂ，１４ｃ，１４ｄ  繊維層
１４ｅ，１４ｆ  装着用シート
１４ｈ  係着切込み
１５  軸受枠部
１５ａ  背面基板部
１５ｂ  張出し支持板部
１５ｃ  ストッパーピン挿入孔
１６  回転軸部
１６ａ  噛合凹凸部
１６ｂ  軸本体部
１６ｃ  軸受スリーブ部
１６ｄ  中央貫通孔
１６ｅ  ストッパーピン係止孔
１７  連結ピン
１８  ピン係止孔
１９  連結ジョイント部
２０  ストッパー手段
２１  ストッパーピン
【図１】
2015051090.tif 000003
【図２】
2015051090.tif 000004
【図３】
2015051090.tif 000005
【図４】
2015051090.tif 000006
【図５】
2015051090.tif 000007
【図６】
2015051090.tif 000008
【図７】
2015051090.tif 000009